(57)【要約】      （修正有）【課題】ガイドレールに取付穴を設けることなく、被捕捉部材およびストッパー部材を取り付けることができるクローザー用受け金具を提供する。【解決手段】捕捉突部を有する被捕捉部材と、ストッパー部を有するストッパー部材とで構成され、引き戸を開閉方向へ移動させるためのガイドレールに取り付けられるクローザー用受け金具であって、被捕捉部材１０は、ベース金具２０と、捕捉突部３２が設けられ、ベース金具と共にガイドレールを挟むようにして被捕捉部材１０をガイドレールに取り付けるための被捕捉金具３０とで構成され、ストッパー部材は、ベース金具と、ストッパー部が設けられ、ベース金具と共にガイドレールを挟むようにしてストッパー部材をガイドレールに取り付けるためのストッパー金具とで構成されている。【選択図】図２
0003201512.tif 000002
【実用新案登録請求の範囲】
【請求項１】
引き戸を閉じた状態に引き込むために使用される捕捉突部を有する被捕捉部材と、引き戸が完全に閉じた位置で前記引き戸と突き当たるストッパー部を有するストッパー部材とで構成され、引き戸を開閉方向へ移動させるためのガイドレールに取り付けられるクローザー用受け金具であって、
前記被捕捉部材は、ベース金具と、前記捕捉突起が設けられ、前記ベース金具と共に前記ガイドレールを挟むようにして前記被捕捉部材を前記ガイドレールに取り付けるための被捕捉金具とで構成され、
前記ストッパー部材は、前記ベース金具と、前記ストッパー部が設けられ、前記ベース金具と共に前記ガイドレールを挟むようにして前記ストッパー部材を前記ガイドレールに取り付けるためのストッパー金具とで構成されている
ことを特徴とするクローザー用受け金具。
【請求項２】
前記ガイドレールには、前記ベース金具と前記被捕捉金具或いは前記ストッパー金具とが挟み込む位置に段差部が設けられ、前記ベース金具には、前記段差部と係合して前記被捕捉部材および前記ストッパー部材の幅方向の位置を規制する位置決め部が設けられていることを特徴とする請求項１に記載のクローザー用受け金具。
【請求項３】
前記ベース金具と前記被捕捉金具或いは前記ストッパー金具とは取付ねじによって組み付けられ、前記取付ねじを締めることによって前記ガイドレールを挟み込むようになっており、前記取付ねじを締め付けた状態で、前記取付ねじの先端部が前記ガイドレールの内面に食い込むようになっていることを特徴とする請求項１または請求項２に記載のクローザー用受け金具。
【考案の詳細な説明】
【技術分野】
【０００１】
本考案は、引戸レールに取り付けられるクローザー用受け金具に関するものである。
【背景技術】
【０００２】
従来、引き戸や抽斗などの開閉体を、開き際に強制的に緩やかに開かせる一方、閉じ際に強制的に緩やかに閉じることができる開閉体緩衝装置が知られている。この開閉体緩衝装置は、例えば、建屋側のガイドレール（引戸レール）側に取り付けられ、このガイドレールの開側および閉側の両方にそれぞれ配設された２つの被捕捉部材と、引き戸側に取り付けられ、被捕捉部材を捕捉して引き戸を開方向または閉方向へ引き込むための捕捉引込機構とを備えている。この捕捉引込機構は、ガイドレールの長手方向であって、引き戸の開閉方向に延在しており、その開側および閉側のそれぞれの端部には、捕捉部材が設けられている。この閉側の捕捉部材は、閉側の被捕捉部材を捕捉するためのものであり、開側の捕捉部材は、開側の被捕捉部材を捕捉するためのものである。
【０００３】
また、引き戸には、引き戸が閉じた状態で引き戸の戸閉側の端部が建屋に突き当たらない構造（例えば、戸板が建屋の開口に対して前側に配置されている構造）のものがある。このような引き戸では、建屋の開口が塞がれた位置で引き戸を保持させるためのストッパー部材が設けられており、このストッパー部材に戸板が突き当たることによって、戸板が閉じた位置でオーバーランすることなく停止するようにしている。
【０００４】
上述した被捕捉部材およびストッパー部材は、ガイドレールの内部に配置され、ガイドレールの上面部に予め開けられた取付穴に合わせてタッピングねじ等によって建屋側に固定されている（例えば、特許文献１参照）。
【先行技術文献】
【特許文献】
【０００５】
【特許文献１】特開２０１２−１１７２２１号公報
【考案の概要】
【考案が解決しようとする課題】
【０００６】
しかしながら、被捕捉部材およびストッパー部材をガイドレールに予め開けられた取付穴に合わせて取り付ける構造では、その取付位置が決まってしまうので、引き戸の開閉方向に微調整することができない。一方、微調整したい場合には、再びガイドレールに取付穴を開け直さなければならず、現地での取付作業が煩わしくなる。
【０００７】
本考案は、上述した事情を鑑みてなされたものであり、ガイドレールに取付穴を設けることなく、被捕捉部材およびストッパー部材を取り付けることができるクローザー用受け金具を提供するためのものである。
【課題を解決するための手段】
【０００８】
上述課題を解決するため、本考案に係るクローザー用受け金具は、引き戸を閉じた状態に引き込むために使用される捕捉突部を有する被捕捉部材と、引き戸が完全に閉じた位置で前記引き戸と突き当たるストッパー部を有するストッパー部材とで構成され、引き戸を開閉方向へ移動させるためのガイドレールに取り付けられるものであり、前記被捕捉部材は、ベース金具と、前記捕捉突起が設けられ、前記ベース金具と共に前記ガイドレールを挟むようにして前記被捕捉部材を前記ガイドレールに取り付けるための被捕捉金具とで構成され、前記ストッパー部材は、前記ベース金具と、前記ストッパー部が設けられ、前記ベース金具と共に前記ガイドレールを挟むようにして前記ストッパー部材を前記ガイドレールに取り付けるためのストッパー金具とで構成されていることを特徴とする。
【０００９】
また、前記ガイドレールには、前記ベース金具と前記被捕捉金具或いは前記ストッパー金具とが挟見込む位置に段差部が設けられ、前記ベース金具には、前記段差部と係合して前記被捕捉部材および前記ストッパー部材の幅方向の位置を規制する位置決め部が設けられているようにしてもよい。
【００１０】
さらに、前記ベース金具と前記被捕捉金具或いは前記ストッパー金具とは取付ねじによって組み付けられ、前記取付ねじを締めることによって前記ガイドレールを挟み込むようになっており、前記取付ねじを締め付けた状態で、前記取付ねじの先端部が前記ガイドレールの内面に食い込むようになっていてもよい。
【考案の効果】
【００１１】
本考案によれば、前記被捕捉部材は、ベース金具と、前記捕捉突起が設けられ、前記ベース金具と共に前記ガイドレールを挟むようにして前記被捕捉部材を前記ガイドレールに取り付けるための被捕捉金具とで構成されているので、２つの金具でガイドレールを挟み込むようにして取り付けることができる。そのため、ガイドレールに取付穴を設ける必要がなく、簡単に取り付けることができる。また、取り付け位置の微調整も、ガイドレールに取付穴を再加工することなく行うことができる。そのため、現地での取り付け・位置調整作業の手間が軽減される。
【００１２】
同様に、前記ストッパー部材は、前記ベース金具と、前記ストッパー部が設けられ、前記ベース金具と共に前記ガイドレールを挟むようにして前記ストッパー部材を前記ガイドレールに取り付けるためのストッパー金具とで構成されているので、被捕捉部材と同様に、簡単に取り付け・位置調整作業を行うことができる。
【００１３】
また、被捕捉部材およびストッパー部材で使用するベース金具を共通部品として使用しているので、部品点数が必要以上に増えることがない。
【図面の簡単な説明】
【００１４】
【図１】本考案の実施の形態に係るクローザー用受け金具を備えた引き戸上部の正面図であって、引戸が閉じた状態を示したものである。
【図２】被捕捉部材を単体で示したものであって、（Ａ）は斜め下側から見た分解斜視図、（Ｂ）は（Ａ）を組み付けた状態を示したものである。
【図３】（Ａ）は被捕捉部材の正面図、（Ｂ）は（Ａ）の底面図である。
【図４】（Ａ）は図３（Ａ）の平面図、（Ｂ）は図３（Ａ）の左側面図である。
【図５】図３（Ａ）の右側面図である。
【図６】ストッパー部材を単体で示したものであって、（Ａ）は斜め上側から見た斜視図、（Ｂ）は斜め下側から見た斜視図である。
【図７】（Ａ）はストッパー部材の正面図、（Ｂ）は（Ａ）の底面図である。
【図８】（Ａ）は図７（Ａ）の平面図、（Ｂ）は図７（Ａ）の左側面図である。
【図９】図７（Ａ）の右側面図である。
【図１０】ベース金具を単体で示したものであって、（Ａ）は斜め上側から見た斜視図、（Ｂ）は斜め下側から見た斜視図である。
【図１１】被捕捉金具を単体で示したものであって、（Ａ）は斜め上側から見た斜視図、（Ｂ）は斜め下側から見た斜視図である。
【図１２】ストッパー金具を単体で示したものであって、（Ａ）は斜め上側から見た斜視図、（Ｂ）は斜め下側から見た斜視図である。
【図１３】ガイドレールの内部に被捕捉部材を取り付けた状態であって、（Ａ）はガイドレールの正面図、（Ｂ）はその底面図である。
【図１４】図１３（Ａ）のＡ−Ａ断面図であって、ガイドレールの断面形状を示したものである。
【図１５】（Ａ）は図１３（Ａ）のＢ−Ｂ断面図、（Ｂ）は図１３（Ａ）のＣ−Ｃ断面図である。
【図１６】本考案の変形例であって、被捕捉金具とストッパー金具を一体にしたものを示したものであり、（Ａ）は斜め上側から見た斜視図、（Ｂ）は斜め下側から見た斜視図である。
【考案を実施するための形態】
【００１５】
以下、本考案の実施形態に係るクローザー用受け金具について、図１〜図１５を用いて詳細に説明する。なお、以下の説明で使用する上下、戸開側、戸閉側、奥行き方向とは、図１を正面（紙面手前側）から見た方向をいうものとする。
【００１６】
図１は、クローザー用受け金具を備えた引き戸上部の正面図であって、引き戸の戸板１１０が閉じた状態を示したものである。なお、このクローザー用受け金具は、被捕捉部材１０とストッパー部材５０とで構成されている。
【００１７】
被捕捉部材１０は、捕捉引込機構１００が開閉方向の所定の位置にきたときに捕捉され、捕捉引込機構１００内部のばねによって引き込まれるようになっている。引き戸の戸板１１０は、取付金具１０２およびスタッド１０３によって捕捉引込機構１００と連結されており、戸板１１０を閉じる際に捕捉引込機構１００が被捕捉部材１０を引き込むことによって、戸板１１０が完全に閉じた位置まで移動するようになる。これらの捕捉引込機構１００と被捕捉部材１０とが一対になって開閉体緩衝装置を構成している。この開閉体緩衝装置は、戸板１１０が半開きになるのを防止するための装置であり、既に公知のものであるため、その詳細な説明は省略する。
【００１８】
ストッパー部材５０は、戸板１１０が完全に閉じた位置まで移動したときに、捕捉引込機構１００の戸閉側の端部と突き当たり、戸板１１０がそれ以上にオーバーランしないようにするためのものである。
【００１９】
図２〜図５は、被捕捉部材１０を単品で示したものであり、図６〜図９は、ストッパー部材５０を単品で示したものである。これらの被捕捉部材１０およびストッパー部材５０は、詳細は後述するガイドレール（図１３〜図１５参照）の内部に取り付けられる。
【００２０】
被捕捉部材１０は、ベース金具２０と、このベース金具２０の下側に取り付けられる被捕捉金具３０とで構成されている。これらのベース金具２０および被捕捉金具３０は、下側から挿通される２つの取付ねじ４０によって組み付けられる。
【００２１】
ベース金具２０は、図１０に示すように、平板状の鋼板をプレス成型することによって製作される。このベース金具２０は、中央に位置する取付面部２１と、この取付面部２１の幅方向（図１の紙面奥行き方向）の両端部のそれぞれに形成された位置決め部２２と、取付面部２１の戸開側および戸閉側の両端部のそれぞれに形成された受け部２３とを備えている。
【００２２】
取付面部２１は、平面視で略矩形状に形成されており、上面および下面に平坦な面が設けられている。また、取付面部２１には、開閉方向に間隔を空けて２つのねじ穴２１Ａ、２１Ａが形成されている。さらに、取付面部２１の４つの角部には、下側に向かって突出する食い込み爪２４がそれぞれ形成されている。この食い込み爪２４は、角部を下側に向けてプレスで変形させることで形成されている。
【００２３】
位置決め部２２は、開閉方向の全長に亘って連続して形成されており、幅方向の両端部を斜め下側に向けて折り曲げる態様で形成されている。また、位置決め部２２の開閉方向における両端部は、上述した食い込み爪２４を形成するために、この食い込み爪２４の部分だけ切り欠かれたような形状になっている。
【００２４】
受け部２３は、幅方向の全長に亘って連続して形成されており、開閉方向の両端部を斜め下側に向けて折り曲げる態様で形成されている。この受け部２３の先端部分は、上側にさらに折り返されており、略水平面となる受け面２３Ａが形成されている。受け部２３の幅方向における両端部は、位置決め部２２と同様に、上述した食い込み爪２４を形成するために、この食い込み爪２４の部分だけ切り欠かれた形状になっている。
【００２５】
このベース金具２０は、幅方向および開閉方向において、対称な形状になっている。そのため、取り付け時に方向を気にする必要がなく、作業者の取り付けミス等の不具合を防止することができる。
【００２６】
被捕捉金具３０は、図１１に示すように、平板状の鋼板をプレス成型することによって製作される。この被捕捉金具３０は、平面部３１と、この平面部３１の戸開側の端部を略コ字形状に折り曲げて平面部３１よりも下側に突出するように形成された捕捉突部３２とを備えている。
【００２７】
平面部３１は、平面視で略矩形状に形成されており、図３（Ｂ）に示すように、ベース金具２０の取付面部２１の面積とほぼ同じ面積になっている。また、平面部３１には、開閉方向に間隔を空けて２つの挿通穴３１Ａ、３１Ａが形成されている。この挿通穴３１Ａは、取付面部２１に形成されたねじ穴２１Ａの位置に合わせてあけられており、ベース金具２０と被捕捉金具３０とが上下に組み付けられた状態で、取付ねじ４０が挿通されるようになっている。
【００２８】
捕捉突部３２は、上述した捕捉引込機構１００が捕捉するためのものであり、捕捉引込機構１００のキャッチ部（図示せず）の構造に合わせてその突形状が形成されている。
【００２９】
ベース金具２０および被捕捉金具３０を取付ねじ４０で組み付けた状態では、図３（Ａ）に示すように、被捕捉金具３０の捕捉突部３２がベース金具２０の受け面２３Ａと接するようになる。また、ベース金具２０の取付面部２１と、被捕捉金具３０の平面部３１との間には、隙間Ｓが空くようになっている。
【００３０】
一方、ストッパー部材５０は、被捕捉部材１０に使用されるものと共通部品であるベース金具２０と、このベース金具２０の下側に取り付けられるストッパー金具６０とで構成されている。これらのベース金具２０およびストッパー金具６０は、下側から挿通される２つの取付ねじ４０によって組み付けられる
【００３１】
ストッパー金具６０は、図１２に示すように、平板状の鋼板をプレス成型することによって製作される。このストッパー金具６０は、平面部６１と、この平面部３１の戸閉側の端部を下側に向けてＬ字状に折り曲げて、平面部６１よりも下側に突出するように形成されたストッパー部６２とを備えている。
【００３２】
平面部６１は、平面視で略矩形状に形成されており、図７（Ｂ）に示すように、ベース金具２０の取付面部２１の面積とほぼ同じ面積になっている。また、平面部６１には、開閉方向に間隔を空けて２つの挿通穴６１Ａ、６１Ａが形成されている。この挿通穴６１Ａは、取付面部２１に形成されたねじ穴２１Ａの位置に合わせてあけられており、ベース金具２０と被捕捉金具３０とが上下に組み付けられた状態で、取付ねじ４０が挿通されるようになっている。
【００３３】
ストッパー部６２は、図１に示すように、捕捉引込機構１００の戸閉側の端部が当接し、捕捉引込機構１００がこのストッパー部６２よりも戸閉側に移動しないようにするためのものである。このストッパー部６２には、戸板１１０が強く当たることもあるので、Ｌ字に折り曲げた根元部分にくさび状の凹部６３（図７（Ａ）および図７（Ｂ）参照）を設けて剛性を高めている。
【００３４】
ベース金具２０およびストッパー金具６０を取付ねじ４０で組み付けた状態では、図７（Ａ）に示すように、平面部６１の開閉方向の両端部が受け面２３Ａと接するようになる。また、ベース金具２０の取付面部２１と、被捕捉金具３０の平面部３１との間には、隙間Ｓが空くようになっている。
【００３５】
これらの被捕捉部材１０およびストッパー部材５０は、図１に示すように、戸板１１０を開閉方向へ移動させるためのガイドレール１に取り付けられる。なお、被捕捉部材１０およびストッパー部材５０をガイドレール１に取り付ける構造は同じであるため、以下の説明では、被捕捉部材１０を取り付ける構造および取付方法について説明する。
【００３６】
図１３〜図１５は、ガイドレール１と、このガイドレール１に取り付けられた被捕捉部材１０を示すものである。ガイドレール１は、建屋の開口の上縁部に取り付けられ、開閉方向の全長に亘って連続して設けられている。
【００３７】
図１４に示すように、ガイドレール１の断面形状は、下側が開口する略コ字形状に形成されている。より詳細には、ガイドレール１は、上面部２と、この上面部２の幅方向の両端から下側に向かって延びる側面部３と、これらの側面部３の下端から幅方向の中央に向けて延びるローラー転動部４とを備えることで、上述した略コ字形状が形成される。
【００３８】
また、これらの側面部３の上下方向の中央より上側には、側面部３の内面から幅方向の中央に向けて延びる支持部５が設けられている。これらの支持部５は、ガイドレール１内を２つの空間に画成しており、下側空間６には、捕捉引込機構１００が組み込まれ、上側空間７には、被捕捉部材１０およびストッパー部材５０が組み込まれる。
【００３９】
また、支持部５の内側先端部５ａには、上側に上る階段状に段差が設けられている。
【００４０】
ローラー転動部４は、図１に示すように、捕捉引込機構１００に設けられたローラー１０１が載置され、ローラー転動部４の上面４Ａをローラー１０１が開閉方向に自由に転動できるようになっている。
【００４１】
次に、被捕捉部材１０の取付方法について説明する。
被捕捉部材１０は、取付ねじ４０を緩めた状態（仮止めした状態）でガイドレール１の一方の端部から挿入され、開閉方向の所定の位置までスライド移動される。このとき、ベース金具２０は、上述した上側空間７内に挿通され、被捕捉金具３０は下側空間６内に挿通される（図１５（Ａ）および図１５（Ｂ）参照）。
【００４２】
被捕捉部材２０を所定の取付位置に移動させた後に、取付ねじ４０を締め付ける。取付ねじ４０は、締め付けた状態でその先端部がガイドレール１の上面部２の上側面２Ａに突き当たる長さのものが使用される。また、取付ねじ４０の先端部は、タッピングねじのように尖った形状になっており、締め付けた状態で上側面２Ａに食い込むようになっている。これにより、取り付けられた被捕捉部材１０およびストッパー部材５０がガイドレール１に対して幅方向および開閉方向にずれるおそれが少なくなる。
【００４３】
また、取付ねじ４０を締め付けた状態では、図１５（Ａ）および図１５（Ｂ）に示すように、ガイドレール１の段差部Ｄの下側に被捕捉金具３０が入り込むようになっている。すなわち、段差部Ｄの下側の幅方向の寸法Ｌ２は、被捕捉金具３０の幅方向の寸法と同等か若干大きくなるように形成されている。これにより、被捕捉部材１０およびストッパー部材５０の幅方向の位置が規制されるようになり、挟んで取り付けた被捕捉部材１０およびストッパー部材５０が幅方向にずれるおそれが少なくなる。
【００４４】
また、ベース部材２０の受け部２３は、支持部５の先端部が対向する隙間の内部に入り込むようになる。すなわち、この隙間寸法Ｌ１は、受け部２３の幅方向の寸法と同等か若干大きくなるように形成されている。これによっても、被捕捉部材１０およびストッパー部材５０の幅方向の位置が規制され、挟んで取り付けた被捕捉部材１０およびストッパー部材５０が幅方向にずれるおそれが少なくなる。
【００４５】
さらに、ベース部材２０の位置決め部２２は、ガイドレール１の段差部Ｄの上側よりも外側に位置するようになる。すなわち、段差部Ｄの上側の幅方向外側角部の寸法Ｌ３は、ベース部材２０の取付面部２１の幅方向の寸法と同等か若干小さくなるように形成されている。これによっても、被捕捉部材１０が段差部Ｄと係合することによって幅方向の位置が規制され、挟んで取り付けた被捕捉部材１０およびストッパー部材５０が幅方向にずれるおそれが少なくなる。
【００４６】
そして、ベース金具２０と被捕捉金具３０とは、支持部５の内側先端部５Ａを上下方向から挟み込むようになる。このとき、ベース金具２０の食い込み爪２４は、内側先端部５Ａの上面に押し付けられて食い込むようになる。これによっても、挟んで取り付けた被捕捉部材１０およびストッパー部材５０が幅方向および開閉方向にずれるおそれが少なくなる。
【００４７】
また、支持部５の先端部５Ａの上下方向の厚み寸法は、ベース金具２０の取付面部２１と、被捕捉金具３０の平面部３１との間に生じる隙間Ｓよりも大きく形成されている。これにより、この隙間Ｓの部分で先端部５Ａを確実に挟み込むことができる。
【００４８】
本考案の実施形態に係るクローザー用受け金具によれば、被捕捉部材１０は、ベース金具２０と、捕捉突起３２が設けられ、ベース金具２０と共にガイドレール１を挟むようにして被捕捉部材１０をガイドレール１に取り付けるための被捕捉金具３０とで構成されているので、２つの金具でガイドレールを挟み込むようにして取り付けることができる。そのため、ガイドレール１に取付穴を設ける必要がなく、簡単に取り付けることができる。また、取り付け位置の微調整も、ガイドレール１に取付穴を再加工することなく行うことができる。そのため、現地での取り付け・位置調整作業の手間が軽減される。
【００４９】
同様に、ストッパー部材５０は、ベース金具２０と、ストッパー部６２が設けられ、ベース金具２０と共にガイドレール１を挟むようにしてストッパー部材５０をガイドレール１に取り付けるためのストッパー金具６０とで構成されているので、被捕捉部材１０と同様に、簡単に取り付け・位置調整作業を行うことができる。
【００５０】
また、被捕捉部材１０およびストッパー部材５０で使用するベース金具２０を共通部品として使用しているので、部品点数が必要以上に増えることがない。
【００５１】
また、ガイドレール１には、ベース金具２０と被捕捉金具３０或いはストッパー金具６０とが挟み込む位置に段差部Ｄが設けられ、ベース金具２０には、段差部Ｄと係合して被捕捉部材１０およびストッパー部材５０の幅方向の位置を規制する位置決め部２２が設けられているので、挟んで取り付けた被捕捉部材１０およびストッパー部材５０が幅方向にずれるおそれが少なくなる。
【００５２】
さらに、ベース金具２０と被捕捉金具３０或いはストッパー金具６０とは取付ねじ４０によって組み付けられ、取付ねじ４０を締めることによってガイドレール１を挟み込むようになっており、取付ねじ４０を締め付けた状態で、取付ねじ４０の先端部がガイドレール１の内面に食い込むようになっているので、取り付けられた被捕捉部材１０およびストッパー部材５０が幅方向および開閉方向にずれるおそれが少なくなる。
【００５３】
以上、本考案の実施形態に係るクローザー用受け金具について述べたが、本考案は既述の実施形態に限定されるものではなく、本考案の技術思想に基づいて各種の変形および変更が可能である。
例えば、本実施の形態では、被捕捉部材１０およびストッパー部材５０をそれぞれ別々に構成していたが、一体で構成することもできる。例えば、図１６に示すように、被捕捉金具３０およびストッパー金具６０を１つの金具２３０で構成する。この金具２３０は、被捕捉金具３０の平面部３１と、ストッパー金具６０の平面部６１とを開閉方向で繋げたものであり、捕捉突部３２およびストッパー部６２は実施例と同じである。また、ベース金具２０は共通部品としてそのまま使用することができる。これにより、１つのクローザー用受け金具２１０として構成することができる。
【００５４】
この構成によれば、被捕捉部材１０およびストッパー部材５０をそれぞれ個々に位置調整して取り付けることにより生じていた手間を、１回の調整で済ませることができる。これにより、現地での取り付け作業を軽減することができる。また、ベース金具２０を共通部品として使用することで、部品の種類を増やすことがなくなる。
【符号の説明】
【００５５】
１  ガイドレール
２  上面部
３  側面部
４  ローラー転動部
４Ａ  上面
５  支持部
５Ａ  内側先端部
１０  被捕捉部材
２０  ベース金具
２１  取付面部
２１Ａ  ねじ穴
２２  位置決め部
２３  受け部
２３Ａ  受け面
２４  食い込み爪
３０  被捕捉金具
３１  平面部
３１Ａ  挿通穴
３２  捕捉突部
４０  取付ねじ
５０  ストッパー部材
６０  ストッパー金具
６１  平面部
６１Ａ  挿通穴
６２  ストッパー部
６３  凹部
１００  捕捉引込機構
１０２  取付金具
１０３  スタッド
２１０  クローザー用受け金具
２３０  金具
１１０  戸板
Ｄ  段差部
Ｓ  隙間
【図１】
0003201512.tif 000003
【図２】
0003201512.tif 000004
【図３】
0003201512.tif 000005
【図４】
0003201512.tif 000006
【図５】
0003201512.tif 000007
【図６】
0003201512.tif 000008
【図７】
0003201512.tif 000009
【図８】
0003201512.tif 000010
【図９】
0003201512.tif 000011
【図１０】
0003201512.tif 000012
【図１１】
0003201512.tif 000013
【図１２】
0003201512.tif 000014
【図１３】
0003201512.tif 000015
【図１４】
0003201512.tif 000016
【図１５】
0003201512.tif 000017
【図１６】
0003201512.tif 000018